(57)【特許請求の範囲】
【請求項１】
本来の腰掛機能を備えた椅子部と、被験者が座る前記椅子部の座部の下方に格納できるように取り付けられるトレーニングユニットとを有する筋力トレーニング椅子において、前記トレーニングユニットは前記座部の前方側の下面中央に回転軸により取り付け格納位置から使用位置の範囲内で上下方向に回動する支持部と、前記支持部の先端部に回転軸により取り付け上下方向に回動するアーム部と、前記アーム部の先端部に取り付け被験者下肢に当接する押当部と、前記アーム部に連結して被験者が筋肉を鍛える際に負荷をかける負荷手段とから構成され、被験者が筋肉を鍛える際に前記椅子部の座部に座った状態で前記トレーニングユニットを格納位置から使用位置にセッティングして被験者が下肢に当接する前記押当部を前方に移動させると前記負荷手段が前方に伸びて負荷がかかり大腿四頭筋が鍛えられることを特徴とした筋力トレーニング椅子。
【請求項２】
本来の腰掛機能を備えた椅子部と、被験者が座る前記椅子部の座部の下方に格納できるように取り付けられるトレーニングユニットとを有する筋力トレーニング椅子において、前記トレーニングユニットは前記椅子部の前方側に突出した左右の脚部の先端部に回転軸により取り付け上下方向に回動する左右のアーム部と、前記各アーム部の先端部に取り付け被験者下肢に当接する押当部と、前記各アーム部に連結して被験者が筋肉を鍛える際に負荷をかける負荷手段とから構成され、被験者が筋肉を鍛える際に前記椅子部の座部に座った状態で前記トレーニングユニットを格納位置から使用位置にセッティングして被験者が下肢に当接する前記押当部を前方に移動させると前記負荷手段が前方に伸びて負荷がかかり大腿四頭筋が鍛えられることを特徴とした筋力トレーニング椅子。
【請求項３】
前記椅子部の後方にショルダープレスのトレーニングを行うことができるトレーニングユニットを配置し、前記トレーニングユニットは筋力トレーニング椅子の後方に配置される基台と、筋力トレーニング椅子の後脚部に嵌め合わせて固定する嵌合部と、前記基台の上に設置される柱部と、被験者が両手でつかみ上下方向に回動可能に取り付けられるアーム部と、前記アーム部に連結される負荷手段とから構成されていることを特徴とした請求項１又は請求項２に記載の筋力トレーニング椅子。
【請求項４】
前記椅子部の背もたれ部にショルダープレスのトレーニングを行うことができるトレーニングユニットを固定し、前記トレーニングユニットは筋力トレーニング椅子の背もたれ部に固定される固定部と、被験者が両手でつかみ上下方向に回動可能に取り付けられるアーム部と、前記アーム部に連結される負荷手段とから構成されていることを特徴とした請求項１又は請求項２に記載の筋力トレーニング椅子。
【発明の詳細な説明】
【技術分野】
【０００１】
本発明は、高齢者や介護認定者や学童などの比較的筋力の弱い人が家庭や学校や施設などで日常的に筋力トレーニングを行うことができるように椅子に筋力トレーニング機能を付加した筋力トレーニング椅子に関する。
【背景技術】
【０００２】
一般に市販されている筋力トレーニングマシンは、フィットネス用が中心であり、高い負荷がかけることができるが、そのため値段的にかなり高価である。一方、高齢者や介護認定者や学童など比較的筋力の弱い人は、筋肉に高い負荷をかけたトレーニングは必要ではなく、比較的低い負荷をかけることができる機器で十分である。またこれらの方々は、日常的にトレーニングをすることが望ましいため、家庭や学校や施設などで安全に簡単にできるトレーニングマシンが必要である。
【０００３】
椅子型の筋力トレーニング器具については、例えば、以下に示すような先行技術が提案されている。
【０００４】
特開平１１−１１３６６４号公報には、通常の椅子として使用しながら筋力トレーニングを行うことを目的とし、腰の捻転運動の補助機能を付加するため、座部と独立して回転するアームレスト部を連設した「椅子」が開示されている（特許文献１）。
【０００５】
特開２００５−３３４６０２号公報には、高齢者やリハビリ訓練者等が家庭や施設で無理なく筋力トレーニングを行うこと目的とし、上肢・下肢・体幹の筋力トレーニングを行うため、椅子にゴムチューブ、ゴムバンドを取り付ける「筋力トレーニング椅子」が開示されている（特許文献２）。
【０００６】
特開２００１−２１８８６７号公報には、不使用時には座椅子として使用でき、多様なトレーニング方法を可能にすることを目的とし、台座に連結パッドを着脱自在に連結、角度を調整可能にした「トレーニング器具」が開示されている（特許文献３）。
【０００７】
特開２００５−３４２３９８号公報には、座り易く、下肢を保持部に装着し易く、確実に固定できることを目的とし、椅子部とアームと膝受パットと負荷機構とからなる「筋力トレーニング装置」が開示されている（特許文献４）。
【０００８】
しかし、高齢者や介護認定者や学童などに適した筋力トレーニングマシンは少なく、家庭や学校や施設などにも設置できるようなものが必要とされていることから、本願出願人は、高齢者や介護認定者や学童などの比較的筋力の弱い人が家庭や学校や施設などで日常的に筋力トレーニングを行うことができるように椅子に筋力トレーニング機能を付加した筋力トレーニング椅子を開発し、既に特許出願を行っている（特開２００８−４９１１６号公報、特許文献５）。
【先行技術文献】
【特許文献】
【０００９】
【特許文献１】特開平１１−１１３６６４号公報
【特許文献２】特開２００５−３３４６０２号公報
【特許文献３】特開２００１−２１８８６７号公報
【特許文献４】特開２００５−３４２３９８号公報
【特許文献５】特開２００８−４９１１６号公報
【発明の概要】
【発明が解決しようとする課題】
【００１０】
本発明が解決しようとする具体的な課題は、筋力トレーニング椅子に更なる改良を施し高齢者や介護認定者などが楽にトレーニングを実施することができ、トレーニングの種類も追加できる筋力トレーニング椅子を提供することを目的とする。
【課題を解決するための手段】
【００１１】
上記の課題を解決するために、請求項１に記載の発明は、本来の腰掛機能を備えた椅子部と、被験者が座る前記椅子部の座部の下方に格納できるように取り付けられるトレーニングユニットとを有する筋力トレーニング椅子において、前記トレーニングユニットは前記座部の前方側の下面中央に回転軸により取り付け格納位置から使用位置の範囲内で上下方向に回動する支持部と、前記支持部の先端部に回転軸により取り付け上下方向に回動するアーム部と、前記アーム部の先端部に取り付け被験者下肢に当接する押当部と、前記アーム部に連結して被験者が筋肉を鍛える際に負荷をかける負荷手段とから構成され、被験者が筋肉を鍛える際に前記椅子部の座部に座った状態で前記トレーニングユニットを格納位置から使用位置にセッティングして被験者が下肢に当接する前記押当部を前方に移動させると前記負荷手段が前方に伸びて負荷がかかり大腿四頭筋が鍛えられることを特徴とする。
【００１２】
また、請求項２に記載の発明は、本来の腰掛機能を備えた椅子部と、被験者が座る前記椅子部の座部の下方に格納できるように取り付けられるトレーニングユニットとを有する筋力トレーニング椅子において、前記トレーニングユニットは前記椅子部の前方側に突出した左右の脚部の先端部に回転軸により取り付け上下方向に回動する左右のアーム部と、前記各アーム部の先端部に取り付け被験者下肢に当接する押当部と、前記各アーム部に連結して被験者が筋肉を鍛える際に負荷をかける負荷手段とから構成され、被験者が筋肉を鍛える際に前記椅子部の座部に座った状態で前記トレーニングユニットを格納位置から使用位置にセッティングして被験者が下肢に当接する前記押当部を前方に移動させると前記負荷手段が前方に伸びて負荷がかかり大腿四頭筋が鍛えられることを特徴とする。
【００１４】
また、請求項３に記載の発明は、請求項１又は請求項２に記載の前記椅子部の後方にショルダープレスのトレーニングを行うことができるトレーニングユニットを配置し、前記トレーニングユニットは筋力トレーニング椅子の後方に配置される基台と、筋力トレーニング椅子の後脚部に嵌め合わせて固定する嵌合部と、前記基台の上に設置される柱部と、被験者が両手でつかみ上下方向に回動可能に取り付けられるアーム部と、前記アーム部に連結される負荷手段とから構成されていることを特徴とする。

【００１５】
また、請求項４に記載の発明は、請求項１又は請求項２に記載の前記椅子部の背もたれ部にショルダープレスのトレーニングを行うことができるトレーニングユニットを固定し、前記トレーニングユニットは筋力トレーニング椅子の背もたれ部に固定される固定部と、被験者が両手でつかみ上下方向に回動可能に取り付けられるアーム部と、前記アーム部に連結される負荷手段とから構成されていることを特徴とする。
【発明の効果】
【００１６】
以上のように、被験者が筋肉を鍛える際に椅子部の座部に座った状態でトレーニングユニットを格納位置から使用位置にセッティングするようにしたので、椅子に座ってからトレーニング部分を引き出すことが可能になり、高齢者や介護認定者などが楽にトレーニングを実施することができる。
【００１７】
また、椅子部の後方にショルダープレスのトレーニングを行うことができるトレーニングユニットを配置又は椅子部の背もたれ部にショルダープレスのトレーニングを行うことができるトレーニングユニットを固定したので、上半身のトレーニング機能を追加することができる。
【図面の簡単な説明】
【００１８】
【図１】筋力トレーニング椅子の第１実施例を示す側面図（トレーニングユニットを格納した状態）である。
【図２】筋力トレーニング椅子の第１実施例を示す側面図（トレーニングユニットを使用する状態１）である。
【図３】筋力トレーニング椅子の第１実施例を示す側面図（トレーニングユニットを使用する状態２）である。
【図４】筋力トレーニング椅子の第１実施例を示す正面図（トレーニングユニットを使用する状態）である。
【図５】筋力トレーニング椅子の第２実施例を示す側面図（トレーニングユニットを格納した状態）である。
【図６】筋力トレーニング椅子の第２実施例を示す側面図（トレーニングユニットを使用する状態１）である。
【図７】筋力トレーニング椅子の第２実施例を示す側面図（トレーニングユニットを使用する状態２）である。
【図８】筋力トレーニング椅子の第２実施例を示す正面図（トレーニングユニットを使用する状態）である。
【図９】筋力トレーニング椅子にショルダープレス用トレーニングユニットを配置した例を示す側面図である。
【図１０】筋力トレーニング椅子にショルダープレス用トレーニングユニットを固定した例を示す側面図である。
【図１１】筋力トレーニング椅子のトレーニングユニットの変形例を示す一部拡大側面図（トレーニングユニットを格納した状態）である。
【図１２】筋力トレーニング椅子のトレーニングユニットの変形例を示す一部拡大側面図（トレーニングユニットを使用する状態１）である。
【図１３】筋力トレーニング椅子のトレーニングユニットの変形例を示す一部拡大側面図（トレーニングユニットを使用する状態２）である。
【発明を実施するための形態】
【００１９】
以下、本発明の実施の一形態について図面を参酌しながら説明する。なお、本発明にかかる筋力トレーニング椅子は、以下の実施例に限定されるものではなく、椅子部、トレーニングユニットの各構成内容については、使用状況や使用目的によって適宜変更することができる。
【００２０】
（第１実施例）
図１は筋力トレーニング椅子の第１実施例を示す側面図（トレーニングユニットを格納した状態）、図２及び図３は前記トレーニングユニットを使用する状態を示す側面図、図４は前記トレーニングユニットを使用する状態を示す正面図である。
第１実施例で示す筋力トレーニング椅子は、被験者が筋肉を鍛える際に椅子部Ａの座部１０に座った状態でレッグエクステンション機能を有するトレーニングユニットＢを格納位置（図１参照）から使用位置（図２・図４参照）に引き出してセッティングすることを特徴とする。これにより、椅子に座ってからトレーニングＢを引き出すことが可能になり、高齢者や介護認定者などが楽にトレーニングを実施することができる。
トレーニングユニットＢは、座部１０の前方側の下面中央部分に回転軸２０を介して支持部２１が取り付けられており、支持部２１は所定の格納位置から所定の使用位置の範囲内で上下方向に回動可能であり、それぞれの所定位置でストッパーなどの係止手段（図示省略）を用いて係止される。支持部２１の先端部には、回転軸２２を介してアーム部２３が取り付けられており、アーム部２３は上下方向に回動可能となっている。アーム部２３の先端部には、被験者下肢に当接する押当部２４が取り付けられ、アーム部２３には被験者が筋肉を鍛える際に負荷をかける油圧シリンダーなどの負荷手段３０が連結されている。
上記筋力トレーニング椅子を使用する際、被験者は座部１０に座った状態でトレーニングユニットＢを引き出して使用位置（図２・図４参照）にセッティングすることができる。そして、被験者が下肢に当接する押当部２４を前方に移動させると（図３参照）、負荷手段３０が前方に伸びて負荷がかかり大腿四頭筋が鍛えられる。トレーニングが終了した後は、被験者は座部１０に座った状態でトレーニングユニットＢを椅子部Ａの下側の格納位置（図１参照）に格納することができる。
【００２１】
（第２実施例）
図５は筋力トレーニング椅子の第２実施例を示す側面図（トレーニングユニットを格納した状態）、図６及び図７は前記トレーニングユニットを使用する状態を示す側面図、図８は前記トレーニングユニットを使用する状態を示す正面図である。
第２実施例で示す筋力トレーニング椅子は、第１実施例と同様に被験者が筋肉を鍛える際に椅子部Ａの座部４０に座った状態でレッグエクステンション機能を有するトレーニングユニットＢを格納位置（図５参照）から使用位置（図６・図８参照）に引き出してセッティングすることを特徴とする。これにより、椅子に座ってからトレーニングＢを引き出すことが可能になり、高齢者や介護認定者などが楽にトレーニングを実施することができる。
トレーニングユニットＢは、左右独立型で構成されおり、椅子部Ａの前方側に突出した左右の脚部４１の先端部に回転軸５０を介して左右のアーム部５１が取り付けられており、左右のアーム部５１はそれぞれ独立して上下方向に回動可能であり、所定の格納位置でロックピンなどの係止手段（図示省略）を用いてそれぞれが係止される。左右のアーム部５１の先端部には、被験者下肢に当接する左右の押当部５２が取り付けられ、左右のアーム部５１には被験者が筋肉を鍛える際に負荷をかける油圧シリンダーなどの負荷手段６０がそれぞれ連結されている。
上記筋力トレーニング椅子を使用する際、被験者は座部４０に座った状態でトレーニングユニットＢを引き出して使用位置（図６・図８参照）にセッティングすることができる。そして、被験者が下肢に当接する押当部５２を前方に移動させると（図７参照）、負荷手段６０が前方に伸びて負荷がかかり左右の大腿四頭筋が鍛えられる。トレーニングが終了した後は、被験者は座部４０に座った状態でトレーニングユニットＢを椅子部Ａの下側の格納位置（図５参照）に格納することができる。
【００２２】
（第３実施例）
図９は筋力トレーニング椅子（第１実施例）にショルダープレス用トレーニングユニットを配置した例を示す側面図である。
トレーニングユニットＣは、図９に示すように筋力トレーニング椅子の後方に配置される基台１０１と、筋力トレーニング椅子の後脚部に嵌め合わせて固定する嵌合部１０２と、基台１０１の上に設置される柱部１００と、被験者が両手でつかみ上下方向に回動可能に取り付けられるアーム部１０３と、アーム部１０３に連結される負荷手段１０４とから構成されている。
上記トレーニングユニットＣを配置した筋力トレーニング椅子を使用する場合、被験者が上半身の筋肉を鍛える際には椅子部Ａの座部に座った状態でショルダープレスのトレーニングを行うことができる。
なお、上記トレーニングユニットＣを配置する筋力トレーニング椅子は、第１実施例に限定されるものではなく、第２実施例や後述する第５実施例にも適用できる。
【００２３】
（第４実施例）
図１０は筋力トレーニング椅子（第２実施例）にショルダープレス用トレーニングユニットを固定した例を示す側面図である。
トレーニングユニットＣは、図１０に示すように筋力トレーニング椅子の背もたれ部に固定される固定１１０と、被験者が両手でつかみ上下方向に回動可能に取り付けられるアーム部１１１と、アーム部１１１に連結される負荷手段１１２とから構成されている。
上記トレーニングユニットＣを配置した筋力トレーニング椅子を使用する場合、被験者が上半身の筋肉を鍛える際には椅子部Ａの座部に座った状態でショルダープレスのトレーニングを行うことができる。
なお、上記トレーニングユニットＣを配置する筋力トレーニング椅子は、第２実施例に限定されるものではなく、第１実施例や後述する第５実施例にも適用できる。
【００２４】
（第５実施例）
図１１は筋力トレーニング椅子のトレーニングユニットの変形例を示す一部拡大側面図（トレーニングユニットを格納した状態）、図１２及び図１３は前記トレーニングユニットを使用する状態を示す一部拡大側面図である。
第５実施例で示す筋力トレーニング椅子は、被験者が筋肉を鍛える際に椅子部Ａの座部７０に座った状態でレッグプレス機能を有するトレーニングユニットＢを格納位置（図１１参照）から使用位置（図１２参照）に引き出してセッティングすることを特徴とする。これにより、第１実施例及び第２実施例と同様に椅子に座ってからトレーニングＢを引き出すことが可能になり、高齢者や介護認定者などが楽にトレーニングを実施することができる。
トレーニングユニットＢは、座部７０の下面中央部分にスライド溝７１を介して支持部８０が取り付けられており、支持部８０は所定の格納位置から所定の使用位置の範囲内で前後方向にスライド可能であり、それぞれの所定位置でストッパーなどの係止手段（図示省略）を用いて係止される。
支持部８０の内部には、前後方向にスライドするアーム部８２が取り付けられ、アーム部８２の先端部には、被験者足裏に当接する押当部８１が取り付けられ、アーム部８２には被験者が筋肉を鍛える際に負荷をかける負荷手段（図示省略）が連結されている。
上記筋力トレーニング椅子を使用する際、被験者は座部７０に座った状態でトレーニングユニットＢを引き出して使用位置（図１２参照）にセッティングすることができる。そして、被験者が足裏に当接する押当部８１を前方に蹴りだして移動させると（図１３参照）、負荷手段（図示省略）が前方に伸びて負荷がかかり大腿四頭筋が鍛えられる。トレーニングが終了した後は、被験者は座部７０に座った状態でトレーニングユニットＢを椅子部Ａの下側の格納位置（図１１参照）に格納することができる。
なお、筋力トレーニング椅子にリクライニング機能を備えておくことにより、被験者は体を寝かした状態でくつろぎながらレッグプレスのトレーニングができる。
【符号の説明】
【００２５】
Ａ  椅子部
Ｂ  トレーニングユニット
Ｃ  トレーニングユニット
１０  座部
２０  回転軸
２１  支持部
２２  回転軸
２３  アーム部
２４  押当部
３０  負荷手段
４０  座部
４１  脚部
５０  回転軸
５１  アーム部
５２  押当部
６０  負荷手段
７０  座部
７１  スライド溝
８０  支持部
８１  押当部
８２  アーム部
１００  柱部
１０１  基台
１０２  嵌合部
１０３  アーム部
１０４  負荷手段
１１０  固定部
１１１  アーム部
１１２  負荷手段
【図１】
0005619440.tif 000002
【図２】
0005619440.tif 000003
【図３】
0005619440.tif 000004
【図４】
0005619440.tif 000005
【図５】
0005619440.tif 000006
【図６】
0005619440.tif 000007
【図７】
0005619440.tif 000008
【図８】
0005619440.tif 000009
【図９】
0005619440.tif 000010
【図１０】
0005619440.tif 000011
【図１１】
0005619440.tif 000012
【図１２】
0005619440.tif 000013
【図１３】
0005619440.tif 000014